(57)【特許請求の範囲】
【請求項１】
情報の本体である本文と、当該本文を基にして生成された本文の内容を概略的に表した見出しとが、それぞれ複数記憶され、複数の本文及び見出しの中から所望する本文及び見出しを検索、表示するようにしてなる情報端末装置における情報検索方法であって、対応関係にある本文と見出しとに識別符号を付与しておき、所望の本文と見出しとを関連づけて検索するリンク検索が指定されたか否かを判断し、リンク検索が指定されると、指定された見出しを複数の見出しの中から検索すると共に、当該検索された見出しに付与されている識別符号を参照して、複数の本文の中から対応する本文を検索し、前記リンク検索が指定されないと、指定された本文を検索することを特徴とする情報検索方法。
【請求項２】
情報の本体である本文と、当該本文を基にして生成された本文の内容を概略的に表した見出しとが、それぞれ複数記憶され、複数の本文及び見出しの中から所望する本文及び見出しを検索、表示するようにしてなる情報端末装置における情報表示方法であって、対応関係にある本文と見出しとに識別符号を付与しておき、所望の本文と見出しとを関連づけて検索するリンク検索が指定されたか否かを判断し、リンク検索が指定されると、指定された見出しを複数の見出しの中から検索すると共に、当該検索された見出しの近隣の見出しを複数選択する一方、前記検索された見出しに付与されている識別符号を参照して、複数の本文の中から対応する本文を検索し、前記検索された見出しを選択された複数の見出しと共に表示画面の適宜な領域に見出し一覧として表示すると同時に、前記検索された本文を同一表示画面上の見出し一覧が表示された領域とは異なる領域に表示し、前記リンク検索が指定されないと、指定された本文を検索して検索された情報を表示することを特徴とする情報表示方法。
【請求項３】
情報の本体である複数の本文と、本文を基にして生成された本文の内容を概略的に表した複数の見出しとが、識別番号により対応づけられて記憶された記憶手段と、所望の本文と見出しとを関連づけて検索するリンク検索が指定されたか否かを判断し、リンク検索が指定された場合に、指定された見出しを前記記憶手段より検索すると共に、当該検索された見出しの近隣の見出しを複数選択する一方、当該検索された見出しに付与されている識別番号を参照して対応する本文を前記記憶手段より検索し、前記リンク検索が指定されないと、指定された本文を検索する検索手段と、前記リンク検索が指定された場合に、前記検索手段で検索された見出しを選択された複数の見出しと共に表示画面の適宜な領域に見出し一覧として表示すると同時に、前記検索された本文を同一表示画面上の見出し一覧が表示された領域とは異なる領域に表示し、前記リンク検索が指定されないと、前記検索手段により検索された情報を表示する表示手段とを具備してなることを特徴とする情報端末装置。
【発明の詳細な説明】
【０００１】
【産業上の利用分野】
本発明は、株式相場、商品相場、債権相場等におけるいわゆるディーリング業務用データを受信し、その受信データの中から所望のデータを検索、表示等を行う情報端末装置に係り、特に、情報端末装置における情報検索の効率化を図った情報検索方法及び情報表示方法並びに情報端末装置に関する。
【０００２】
【従来の技術】
株式相場、商品相場、債権相場等においては、例えば図１に示されたように、本店等に設けられたコンピュータセンタ１と各支店等に設けられた情報端末装置２とが通信回線３により接続され、いわゆるディーリング業務用データがコンピュータセンタ１から通信回線３を介して情報端末装置２へ送信されるようになっており、情報端末装置２においては、受信されたデータから所望のデータを検索、表示できるようになっている。
【０００３】
図１０には、従来の情報端末装置の構成を機能的に表した機能的構成図が、図１１には表示例を示す模式図が、それぞれ示されており、以下、これら２つの図を参照しつつ従来の情報端末装置の構成及び情報の検索動作について説明する。情報端末装置は、図１０に示されたように、入力装置１０と、制御・記憶装置１１と、表示装置１２とを有してなるものである。
【０００４】
そして、コンピュータセンタから伝送されたデータは、制御・記憶装置１１において、例えば、株、債権等の為替相場データや各種のニュース本文等の本文情報と、これら本文情報の内容を端的に表す所定文字数の見出し情報とに区別されてぞれぞれ専用の記憶領域１３ａ，１３ｂに記憶されるようになっている。
【０００５】
かかる構成において、表示装置１２に所望の本文情報及び見出し情報を表示させる場合、入力装置１０により本文情報の検索と、見出し情報の検索とを指示するコマンドを入力するか又は所定のファンクションキーを押下することにより、本文情報検索と見出し情報検索とが制御・記憶装置１１において行われるようになっており、表示装置１２の画面には、図１１（ａ）に示されたように、見出し一覧と所望の本文とが、それぞれ表示領域の適宜な位置に表示されるようになっている。
【０００６】
見出し一覧は、所望した本文情報の見出し及びその近隣の見出しを含んでおり、所望した本文情報の見出しは、いわゆるカーソル表示（図１１（ａ）において斜線表示部分参照）がなされるようになっている。
【０００７】
【発明が解決しようとする課題】
しかしながら、上述の従来装置においては、図１１（ａ）に示されたように一旦所望の本文が表示された後、他の本文を表示させたい場合、入力装置１０から本文情報検索を改めて指令しなければ、所望の本文が表示されないようになっていた。
【０００８】
すなわち、見出し一覧の中のカーソル位置を例えばＡ見出しから、新たに表示を所望する本文のＢ見出しへ切り替えても、表示は依然としてＡ本文のままであり、入力装置１０から改めて本文情報の検索を指示しなければならず、使い勝手が悪く、操作性が低いという問題があった。
【０００９】
本発明は上記実情に鑑みて為されたもので、検索作業を効率良く行える情報検索方法を提供するものである。
また、本発明の他の目的は、検索作業が効率良く行え、操作性が良好で更に利便性の高い情報表示方法を提供することにある。
さらに、本発明の他の目的は、本文の切替が簡単に行え、操作性が良好な情報端末装置を提供するものである。
【００１０】
【課題を解決するための手段】
請求項１記載の発明に係る情報検索方法は、情報の本体である本文と、当該本文を基にして生成された本文の内容を概略的に表した見出しとが、それぞれ複数記憶され、複数の本文及び見出しの中から所望する本文及び見出しを検索、表示するようにしてなる情報端末装置における情報検索方法であって、対応関係にある本文と見出しとに識別符号を付与しておき、所望の本文と見出しとを関連づけて検索するリンク検索が指定されたか否かを判断し、リンク検索が指定された場合に、指定された見出しを複数の見出しの中から検索すると共に、当該検索された見出しに付与されている識別符号を参照して、複数の本文の中から対応する本文を検索し、前記リンク検索が指定されないと、指定された本文を検索してなるものである。
【００１１】
請求項２記載の発明に係る情報表示方法は、情報の本体である本文と、当該本文を基にして生成された本文の内容を概略的に表した見出しとが、それぞれ複数記憶され、複数の本文及び見出しの中から所望する本文及び見出しを検索、表示するようにしてなる情報端末装置における情報表示方法であって、対応関係にある本文と見出しとに識別符号を付与しておき、所望の本文と見出しとを関連づけて検索するリンク検索が指定されたか否かを判断し、リンク検索が指定されると、指定された見出しを複数の見出しの中から検索すると共に、当該検索された見出しの近隣の見出しを複数選択する一方、前記検索された見出しに付与されている識別符号を参照して、複数の本文の中から対応する本文を検索し、前記検索された見出しを選択された複数の見出しと共に表示画面の適宜な領域に見出し一覧として表示すると同時に、前記検索された本文を同一表示画面上の見出し一覧が表示された領域とは異なる領域に表示し、前記リンク検索が指定されないと、指定された本文を検索して検索された情報を表示してなるものである。
【００１２】
請求項３記載の発明に係る情報端末装置は、情報の本体である複数の本文と、本文を基にして生成された本文の内容を概略的に表した複数の見出しとが、識別番号により対応づけられて記憶された記憶手段と、所望の本文と見出しとを関連づけて検索するリンク検索が指定されたか否かを判断し、リンク検索が指定された場合に、指定された見出しを前記記憶手段より検索すると共に、当該検索された見出しに付与されている識別番号を参照して対応する本文を前記記憶手段より検索し、前記リンク検索が指定されないと、指定された本文を検索する検索手段と、前記リンク検索が指定された場合に、前記検索手段で検索された見出しを選択された複数の見出しと共に表示画面の適宜な領域に見出し一覧として表示すると同時に、前記検索された本文を同一表示画面上の見出し一覧が表示された領域とは異なる領域に表示し、前記リンク検索が指定されないと、前記検索手段により検索された情報を表示する表示手段とを具備してなるものである。
【００１４】
【作用】
請求項１記載の発明においては、本文と、本文の内容を要約した見出しとには、対応関係が解る識別符号が付され、所望の本文と見出しとを関連づけて検索するリンク検索が指定された場合に、最終的に所望する本文に対応する見出しが指定されれば、先ず、見出しの検索を行い、次に、検索された見出しに付与されている識別符号を参照することによって対応する本文が一義的に決定されることとなるもので、見出し検索と本文の検索とが一連の処理として実行され、リンク検索が指定されないと、指定された本文を検索するので、効率の良い検索が行われるものである。
【００１５】
請求項２記載の発明においては、本文と、本文に対応する見出しとの相互の対応関係が識別符号により明確化され、所望の本文と見出しとを関連づけて検索するリンク検索が指定された場合に、指定された見出しを検索すると共に、検索された見出しに付与されている識別符号を参照して本文の検索も行われ、これら検索された見出しと本文とを表示画面の適宜な位置に同時に表示すると共に、検索された見出しと共に、例えばその前後の複数の見出しを表示するようにし、リンク検索が指定されないと、指定された本文を検索して検索された情報を表示して、検索の効率化と利便性の向上が図られている。
【００１６】
請求項３記載の発明においては、所望の本文と見出しとを関連づけて検索するリンク検索が指定された場合には、検索手段により指定された見出しが記憶手段の記憶データの中から検索されるが、検索された見出しには該当する本文との対応を示す識別符号が付されており、その識別符号を参照してさらに記憶手段のデータの中から本文が検索され、表示手段により指定された見出しと選択された複数の見出しと共に本文が表示され、リンク検索が指定されないと、指定された本文を検索して検索結果を表示することとなるもので、使い勝手及び操作性の向上が図られている。
【００１８】
【実施例】
以下、本発明に係る情報検索方法及び情報表示方法並びに情報端末装置の実施例について、図１乃至図９を参照しつつ説明する。ここで、図１は、本発明に係る情報端末装置が用いられる株式相場等の情報システムの構成例を示す構成図であり、図２は、本発明に係る情報端末装置の一構成例を示す構成図であり、図３は、本発明に係る情報端末装置におけるリンク検索動作についての機能的構成図であり、図４は、本発明に係る情報端末装置における見出し切替動作についての機能的構成図であり、図５は、見出し情報の生成手順を説明するための説明図であり、図６は、本実施例における記憶部に記憶される見出し情報テーブル及び本文情報テーブルの一例を示す模式図であり、図７は、リンク検索の手順を示すフローチャート図であり、図８は、見出し切替の手順を示すフローチャート図であり、図９は、本実施例における表示部による表示画面の例を示す模式図である。尚、以下に説明する部材、配置等は本発明を限定するものではなく、本発明の趣旨の範囲内で種々改変することができるものである。
【００１９】
先ず、本実施例の情報端末装置の構成について図１及び図２を参照しつつ説明する。
情報端末装置２（以下「本装置」と言う。）は、例えば、株式相場、商品相場等を扱う本店等に設けられたコンピュータセンタ１と、通信回線３を介して接続され、各支店等に設けられることにより、コンピュータセンタ１から伝送されたいわゆるディーリング業務用データを受信して表示するものである点においては、従来と同様のものである（図１参照）。
【００２０】
そして、本装置は、図２に示されたように通信回線３を介して伝送されたデータを記憶する記憶装置４と、検索開始等の指令を入力する入力装置５と、装置全体の動作制御を行う制御装置６と、制御装置６を介して記憶装置４から選択されたデータを表示する表示装置７とを有してなるものである。
【００２１】
本装置は、特に、後述するように受信したデータから所望の本文とその見出しを検索する動作及び一旦表示した本文及びその見出し一覧を他のものへ切り替える際の切替動作に特徴を有するものである。
【００２２】
先ず、所望の本文と見出しとを関連付けて検索するリンク検索動作について図３に示された機能的構成図を参照しつつ概括的に説明する。
使用者が入力装置５において所望の本文に対応する見出しを指定するキー入力を行うと共に、リンク検索を指示するコマンドを入力又は特定のファンクションキーを押下すると、制御装置６により、本文情報と見出し情報とに予め区分されて記憶されている記憶装置４の情報の中から所望の本文及び見出しが検索される。
【００２３】
そして、検索された本文は、そのまま表示装置７に表示されると共に、該当する見出し並びにその周辺の見出しを含む複数の見出しが見出し一覧（見出し情報）として表示装置７に同時に表示されるようになっているものである。
【００２４】
ここで、本文情報とは、ニュースの本文や株、商品、債権、為替等の各相場の個別データを言うものとし、また、見出し情報とは、本文情報を基に、その内容を一行に要約したものを言うものとする。
【００２５】
本文情報は先に述べたコンピュータセンタ１において入力されるものであるが、見出し情報はコンピュータセンタ１において生成される方法と、情報端末装置において生成される方法との２つが考えられるが、本実施例ではいずれの方法であっても構わないものである。
尚、この２つの見出し情報の生成方法について図５及び図６を参照しつつ以下に説明することとする。
【００２６】
先ず、本装置において見出し情報が生成される場合について説明すると、コンピュータセンタ１から伝送された本文情報が受信されると、本文情報毎に識別のための符号（例えば、図６においては「Ａ００１」、「Ａ００２」・・・の如く）が付され、この識別符号と共に記憶装置４の所定の領域に記憶されて本文情報テーブルが形成される（図６参照）。
【００２７】
一方、上述のような本文情報の記憶と共に、この本文情報を基に、予め定められた規則にしたがって見出し情報が作成され、本文に付された識別符号と同一符号が本文との対応関係を示すチェイン情報として、作成された見出しと共に記憶装置４の所定の領域に記憶され、見出し情報テーブルが形成される（図６参照）。
【００２８】
このように各本文に識別符号を付すると共に、各見出しにも本文と同一の識別符号を付することにより、本文と見出しとの一対一の関係を形成することができ、後述するリンク検索や見出し切り替えによる本文の検索を可能としている。
【００２９】
次に、コンピュータセンタ１側で見出しが生成される場合について図５（ｂ）を参照しつつ説明する。
この場合、コンピュータセンタ１において、本文を基に上述の場合と同様に所定の規則に従って見出しが作成され、コンピュータセンタ１からは、本文と見出しとがデータとして伝送されることとなる。
【００３０】
本装置は、上述のようにしてコンピュータセンタ１から伝送されたデータを電文として受信し、本文と見出しとの判別を行い、それぞれ図６で説明したようにして記憶装置４の所定の記憶領域に記憶し、本文情報テーブルと見出し情報テーブルとが形成されることとなる。
尚、本文に付される識別符号は、本文と見出しとの判別を行った際に、付されるようになっている。
【００３１】
次に、図７に示されたフローチャートを参照しつつ、制御装置６により実行されるリンク検索の具体的内容について説明する。
前提として、検索を必要とする本文については、入力装置５におけるキー入力操作によりその見出しが指定入力され、その後、検索開始のコマンド入力又は所定のファンクションキーの押下がなされるものとする。
【００３２】
上述のような入力装置５の操作に応じて制御装置６による制御動作が開始されると、先ず、入力装置５における使用者のキー入力によりリンク検索が指定されたか否かが判定される（図７のステップ１００）。
【００３３】
リンク検索でないと判定された場合（図７のステップ１００において「ＮＯ」の場合）には、入力装置５におけるキー入力において、検索が指定された本文を記憶装置４において検索する通常検索が行われ（図７のステップ１０８）、検索の結果が表示装置７において表示されて（図７のステップ１１０）一連の検索が終了することとなる。
【００３４】
一方、リンク検索であると判定された場合（図７のステップ１００において「ＹＥＳ」の場合）には、先ず、見出し情報検索が行われる（図７のステップ１０２）。すなわち、入力装置５における入力操作により指定された見出しが、記憶装置４に記憶された見出し情報テーブル（図６参照）中から検索されることとなる。このとき、検索された目的の見出しの他に、その前後にある見出しが所定数だけ見出し検索テーブルから読み出されるようになっている。
【００３５】
所望の見出しが検索されると、その検索された見出しに予め付与されている識別符号をチェイン情報の欄から読み出し、その識別番号を参照して、記憶装置４に記憶された本文情報テーブル（図６参照）の中から同一の識別符号を有する本文の検索が行われる（図７のステップ１０４）。
【００３６】
続いて、検索された本文は、表示装置７において、例えば、図９（ａ）に示されたように表示画面の下部へ表示されると同時に、上述のようにしてこの本文に該当する見出しと共に記憶装置４から読み出された複数の見出しが見出し一覧として、例えば、表示画面の上部へ表示される。そして、見出し一覧においては該当する見出し（図９（ａ）において「Ａ見出し」と表記）の部分が白抜き表示となって、いわゆるカーソル表示がなされることとなり（図７のステップ１０６）、一連のリンク検索が終了することとなる。
【００３７】
尚、図６においては、株相場における本文情報と見出し一覧の表示例が示されており、見出し一覧においては、左側から株式名、始値、高値、安値等が順に表示されている。
【００３８】
次に、見出し切替処理について説明する。
先ず、図４に示された機能的構成図及び図６に示された表示例を参照しつつ、この見出し切り替え処理について概括的に説明すれば、入力装置５のキー操作により、カーソル表示されている見出しが変更されたとする。例えば、図９（ａ）に示されたＡ見出しから同図（ｂ）に示されたＢ見出しへ、見出しの指定が切り替えられたとすると、記憶装置４において、新たに指定された見出しの検索が行われる。
【００３９】
指定された見出しが見出し情報テーブルの中から検索されると、その見出しに付与されている識別符号を参照して本文情報テーブル中から該当する本文の検索が行われ、検索された本文が表示装置７において例えば図９（ｂ）に示されたように表示されるようになっている。
【００４０】
次に、図８に示されたフローチャートを参照しつつ、制御装置６により実行される見出し切替処理の具体的内容について説明する。
先ず、表示装置７において表示された見出し一覧の中のカーソルを移動させて、新たに指定したい見出しの位置にカーソルを移し（例えば、図９（ａ），（ｂ）において示されたようにＡ見出しからＢ見出しへとカーソルを移し）、入力装置５の図示されない所定のキーを押下（又は所定のコマンドを入力）することにより見出し切替処理の実行が指令されたとする。
【００４１】
制御装置６においては、上述の操作に応じてリンクモードか否かが判定されることとなる（図８のステップ２００）。すなわち、記憶装置４に記憶されている見出し情報と本文情報とが、図６に示されたように、識別番号により対応関係を有する（このような状態を「リンクモード」と言うこととする。）ようになっているか否かの判定が行われる。
【００４２】
リンクモードではないと判定された場合（図８のステップ２００において「ＮＯ」の場合）、表示装置７における表示は、見出し一覧においてカーソルのみが移動されたままで、その他の部分はカーソル移動前と同一の表示を保持する一方、本文の表示は依然のまま、すなわち、カーソル移動前に指定されていた見出しに対応する本文の内容が表示されたままとなり、処理が終了されることとなる。
【００４３】
一方、リンクモードであると判定された場合（図８のステップ２００において「ＹＥＳ」の場合）には、新たに指定された見出しに付与されている識別符号を参照し、当該識別符号に対応する本文を記憶装置４の本文情報テーブルから検索する検索処理が行われることとなる（図８のステップ２０２）。
【００４４】
そして、検索された本文が表示装置７の表示画面において所定の位置に表示されることとなる（図９（ｂ）参照）。また、このとき、見出し一覧においては、当該本文の見出し（図９（ｂ）において言えば「Ｂ見出し」と表記された見出し）にカーソル表示がなされ、見出し一覧自体の表示内容は以前と同様の状態に保持され（図８のステップ２０４）、一連の処理が終了することとなる。
【００４５】
上述のように、本実施例においては、記憶装置４により記憶手段が実現され、また、制御装置６及び図７に示されたステップ１００，１０２，１０４の実行により検索手段が、表示装置４及び図７に示されたステップ１０６の実行により表示手段が、それぞれ実現されている。
さらに、制御装置６及び図８に示されたステップ２００，２０２，２０４の実行により変更制御手段が実現されている。
【００４６】
【発明の効果】
以上、述べたように、請求項１記載の発明によれば、リンク検索が指定されると、見出しを検索することにより、該当する本文が検索できるように構成することにより、従来と異なり、見出し検索と本文検索とがリンクして行われ、リンク検索が指定されないと、指定された本文を検索するので、従来に比して検索作業を効率良く行えるという効果を奏するものである。
【００４７】
請求項２記載の発明によれば、上述の効果に加え、見出し一覧と本文とが同一の画面に表示されることで、利便性の高い表示方法が提供されるという効果を奏するものである。
【００４８】
請求項３記載の発明によれば、リンク検索が指定されると、見出し検索に対して本文検索がリンクして行われるように構成することにより、見出し検索と共に本文検索が行われ、これらの検索結果が同時に表示され、リンク検索が指定されないと、指定された本文が検索されるので、使い勝手が良く、操作性の良好な情報端末装置を提供することができるという効果を奏するものである。
【図面の簡単な説明】
【図１】本発明に係る情報端末装置が用いられる株式相場等の情報システムの構成例を示す構成図である。
【図２】本発明に係る情報端末装置の一構成例を示す構成図である。
【図３】本発明に係る情報端末装置におけるリンク検索動作についての機能的構成図である。
【図４】本発明に係る情報端末装置における見出し切替動作についての機能的構成図である。
【図５】見出し情報の生成手順を説明するための説明図である。
【図６】本実施例における記憶部に記憶される見出し情報テーブル及び本文情報テーブルの一例を示す模式図である。
【図７】リンク検索の手順を示すフローチャート図である。
【図８】見出し切替の手順を示すフローチャート図である。
【図９】本実施例における表示部による表示画面の例を示す模式図である。
【図１０】従来の情報端末装置の動作を説明するための機能的構成図である。
【図１１】従来の情報端末装置における表示例を示す模式図である。
【符号の説明】
１…コンピュータセンタ、  ２…情報端末装置、  ３…通信回線、  ４…記憶装置、  ５…入力装置、  ６…制御装置、  ７…表示装置
【図１】
0003688009.tif 000002
【図２】
0003688009.tif 000003
【図３】
0003688009.tif 000004
【図４】
0003688009.tif 000005
【図５】
0003688009.tif 000006
【図６】
0003688009.tif 000007
【図７】
0003688009.tif 000008
【図８】
0003688009.tif 000009
【図９】
0003688009.tif 000010
【図１０】
0003688009.tif 000011
【図１１】
0003688009.tif 000012